(57)【要約】【課題】  使用する連続紙の種類に応じて、折畳み収納部の取外し、取付け作業を必要としない画像形成装置を提供することを目的とする。【解決手段】  画像形成装置１０内には、ロール状の連続紙Ｐ１を画像形成部２０に向けて供給するロール給紙部１４と、折り畳まれた連続紙Ｐ２を画像形成部２０に向けて供給する折畳み給紙部５０が設けられている。これにより、連続紙Ｐ１に画像を記録する場合と、連続紙Ｐ２に画像を記録する場合とで、ロール給紙部１４と折畳み給紙部５０をその度に画像形成装置１０本体から取り外したり取り付けたりする必要がない。したがって、使用する連続紙の種類による取替え作業の負担が少ない。また、連続紙Ｐ２を使用しない場合、折畳み用紙収納部４０を収容する場所を画像形成装置１０の外部に確保する必要がない。【選択図】    図２
2006298520.tif 000002
【特許請求の範囲】
【請求項１】
画像形成部で連続紙に画像を記録する画像形成装置であって、
画像形成装置装置本体の内部に設けられ、連続紙がロール状に収納されたロール紙供給装置から送られるロール連続紙を、前記画像形成部に向けて供給するロール給紙部と、
前記画像形成装置本体の内部に設けられ、連続紙が折畳み状態で収納された折畳み紙収納部から折畳み連続紙を前記画像形成部へ供給する折畳み給紙部と、
を有することを特徴とする画像形成装置。
【請求項２】
前記ロール給紙部と前記折畳み給紙部の間には、前記ロール連続紙を切断する切断手段が設けられていることを特徴とする請求項１に記載の画像形成装置。
【請求項３】
記録媒体が収納される収納部と、
前記収納部の奥行き方向と直交する方向へ移動可能に設けられ、前記記録媒体の幅方向の位置決めをする幅ガイドと、
前記幅ガイドに奥行き前後方向へ移動可能に設けられ、前記記録媒体の奥行き方向の位置決めをする奥行ガイドと、
前記幅ガイドに奥行き前後方向へスライド可能に取り付けられた把手と、
前記把手と前記奥行ガイドを連結すると共に、前記把手のスライド量を増幅して前記奥行ガイドを移動させる増幅手段と、
を有する画像形成装置。
【請求項４】
前記把手に揺動可能に取り付けられたレバーと、前記幅ガイドの移動を規制する第１ロック機構と、前記奥行ガイドの移動を規制する第２ロック機構と、を有し、
前記レバーの動きに連動して前記第1ロック機構及び前記第２ロック機構をロック又はロック解除するリンク機構を有することを特徴とする請求項３に記載の画像形成装置。
【請求項５】
前記増幅手段は、前記把手と連結された無端状の第１ベルトが巻き掛けられる第１プーリーと、前記奥行ガイドと連結された無端状の第２ベルトが巻き掛けられると共に、前記第１プーリーと同軸上に一体的に設けられ、該第１プーリーよりも大径の第２プーリーと、で構成されていることを特徴とする請求項３又は請求項４に記載の画像形成装置。
【請求項６】
前記増幅手段は、前記把手と連結された無端状の第１ロープが巻き掛けられる第１滑車と、前記奥行ガイドと連結された無端状の第２ロープが巻き掛けられると共に、前記滑車と同軸上に一体的に設けられ、該第１滑車よりも大径の第２滑車と、で構成されていることを特徴とする請求項３又は請求項４に記載の画像形成装置。
【発明の詳細な説明】
【技術分野】
【０００１】
本発明は、折り畳まれた折畳み連続紙やロール状のロール連続紙に画像を記録する画像形成装置に関する。
【背景技術】
【０００２】
近年、情報処理の多様化並びに大量化を図るという需要に対応するために、電子写真方式の作像プロセスを採用し、転写媒体（記録媒体）として取り扱いが便利な折畳紙や、大量出力時に対応させやすい長尺ロール紙等の連続紙を用いて高速処理を可能とした画像形成装置が使用されている（特許文献１参照）。
【０００３】
このような連続紙を用いる画像形成装置において、使用する連続紙の種類に応じて、その度に長尺ロール紙が収納されているロール紙供給装置と折畳紙が収納されている折畳み収納部とを取り替えると共に、ロール紙供給装置から画像形成部へ連続紙を送るロール給紙部と、折畳み収納部から画像形成部へ連続紙を送る折畳み給紙部とを付け替える（交換する）必要がある。このような供給装置及び給紙部の交換作業は、作業者の負担が大きく、また、使用しない方の連続紙が収納されている供給装置を保管する場所を確保する必要がある。
【０００４】
一方、図１６に示すように、折畳紙を使用する場合において、折畳紙が収納された収納箱１０２を供給装置１００にセットして、図の左右方向及び前後方向に移動可能なＬ型の可動部材１０４で、収納箱１０２を二方向から押圧して、収納箱１０２を供給装置１００の基準面Ａ、Ｂに位置決めさせる方法が用いられている。
【０００５】
このとき、可動部材１０４にはダイヤル部１０６が設けられており、ダイヤル部１０６を緩めると可動部材１０４が左右方向及び前後方向に移動可能となり、ダイヤル部１０６を締めると可動部材１０４はその位置に固定された状態となる。
【０００６】
このような構成において、収納箱１０２をセットする方向に対して、装置の奥側にダイヤル部１０６が設けられているため、収納箱１０２をセットする際に作業者は装置の奥側に手を挿入する必要があり、操作が困難である。また、ダイヤル部１０６を手前に設けた場合、ダイヤル部１０６は可動部材１０４に固定されているため、その分、可動部材１０４が大きくなり、可動部材１０４が供給装置１００の基準面Ａ、Ｂに当たり、奥行き方向に移動不可能となってしまう。
【特許文献１】特開平８−１１９５０４号公報
【発明の開示】
【発明が解決しようとする課題】
【０００７】
本発明は上記問題を考慮し、使用する連続紙の種類に応じて、折畳み収納部の取外し、取付け作業を必要としない画像形成装置を提供することを目的とする。
【課題を解決するための手段】
【０００８】
請求項１に記載の本発明は、像担持体上に形成したトナー像を連続紙に記録する画像形成装置であって、画像形成装置装置本体の内部に設けられ、前記連続紙がロール状に収納されたロール紙供給装置から送られる該連続紙を、前記像担持体で画像が記録される画像形成部に向けて供給するロール給紙部と、前記画像形成装置本体内に設けられ、前記連続紙が折畳み状態で収納された折畳み紙収納部から該連続紙を前記画像形成部へ供給する折畳み給紙部と、を有することを特徴としている。
【０００９】
請求項１に記載の発明によれば、ロール紙供給装置に収納されたロール状のロール連続紙を画像形成部に向けて供給するロール給紙部と、折り畳まれた折畳み連続紙が収納されている折畳み紙収納部から連続紙を画像形成部に向けて供給する折畳み給紙部とが、画像形成装置本体の内部に設けられている。
【００１０】
これにより、ロール連続紙に画像を記録する場合と、折畳み連続紙に画像を記録する場合とで、ロール給紙部と折畳み給紙部をその度に画像形成装置本体から取り外したり取り付けたりする必要がない。したがって、使用する連続紙の種類による取替え作業の負担が少ない。また、折畳み連続紙を使用しない場合、折畳み紙収納部を収容する場所を装置外部に確保する必要がない。
【発明の効果】
【００１１】
本発明は上記構成としたので、使用する連続紙の種類に応じて、折畳み収納部の取外し、取付け作業を必要としない。
【発明を実施するための最良の形態】
【００１２】
以下、本発明の実施の形態を図面に示す実施例を基に詳細に説明する。図１には画像形成装置の全体を示す概略斜視図が示されており、図２には画像形成装置の構造を示す概略正面図が示されている。
【００１３】
図１に示すように、連続紙Ｐ１は、ロール状に巻回されてホルダー１２に保持され、図示しない送出機構によって画像形成装置１０内へ送り出される。送り出された連続紙Ｐ１は、図２に示すように、画像形成装置１０内に配置されたロール給紙部１４によって、後述するバックテンションローラ４６とアライニングローラ４８の間へ搬送されるようになっている。
【００１４】
ロール給紙部１４に隣接する位置には、折畳み用紙収納部４０が設けられており、この折畳み用紙収納部４０には、折り畳まれた状態の連続紙Ｐ２が収容された用紙収容箱４２が収納されている。そして、用紙収容箱４２から連続紙Ｐ２が取り出されて、ローラ４４及びローラ４５で構成された折畳み給紙部５０によってバックテンションローラ４６とアライニングローラ４８の間へ送り込まれる。なお、折畳み用紙収納部４０の構成については後述する。
【００１５】
また、ロール給紙部１４と折畳み給紙部５０の間には、ホルダー１２（図１参照）から画像形成装置１０内に送出された連続紙Ｐ１をカットするカッター５２が設けられている。これにより、連続紙Ｐ１を連続紙Ｐ２に変更する際には、カッター５２で連続紙Ｐ１がカットされ、連続紙Ｐ２が折畳み給紙部５０へ送り出される構成となっている。
【００１６】
画像形成装置１０は、連続紙Ｐ１又は連続紙Ｐ２（以下、「連続紙Ｐ」とする）に、電子写真方式により画像を形成する画像形成部２０を備えている。画像形成部２０は、図示しない駆動機構によって回転可能とされた感光ドラム２２を有しており、感光ドラム２２の周囲には、帯電装置２６、露光装置３９、現像装置２８、転写装置３０、クリーニング装置３２、除電装置３４が順に配設されている。
【００１７】
一方、ローラ４５の下流側には、バックテンションローラー４６が配設されている。これにより、連続紙Ｐの張力が維持されるようになっている。バックテンションローラー４６の上流側及び下流側には、アライニングローラー４８が配設されている。このアライニングローラー４８を制御装置５８によって搬送方向に対して傾けることで、連続紙Ｐの蛇行が修正される。
【００１８】
また、転写装置３０の上流側にはトラクタ３１が設けられている。連続紙Ｐ２は、トラクタ３１によって連続紙Ｐ２は画像形成部２０へ搬送されるようになっている。さらに、転写装置３０の下流側にもトラクタ３１及びトラクタ３１と同様に連続紙Ｐ２を搬送する搬送ローラ５７が設けられており、連続紙Ｐ２はトラクタ３１及び搬送ローラ５７によって、スタッカー１８へ搬送されるようになっている。
【００１９】
一方、転写装置３０の下流側には定着装置３６が設けられている。定着装置３６はキセノンランプ３８を有しており、キセノンランプ３８を発光させてその熱でトナーを溶かすことによって、連続紙Ｐに転写されたトナー像が定着する構成となっている。
【００２０】
定着装置３６の下流側には切替部材５４が設けられている。切替部材５４は軸５５回りに回動可能とされており、排紙ローラ１６へ通じる搬送経路に沿って設けられた搬送ローラ５６側へ移動させると、連続紙Ｐ１は排紙ローラ１６から画像形成装置１０の外部へ排出される。また、切替部材５４をスタッカー１８へ通じる搬送経路に沿って設けられた搬送ローラ５７側へ移動させると、連続紙Ｐ２はスタッカー１８に折り畳まれてストックされるようになっている。
【００２１】
ここで、その画像形成部２０における画像形成プロセスを説明する。
【００２２】
まず、感光ドラム２２は、図示しない駆動機構によって矢印Ａ方向へ回転し、帯電装置２６によって表面が略均一に帯電される。そして、露光装置３９によって露光され、感光ドラム２２の表面に画像データに基づく静電潜像が形成される。次に、この静電潜像が現像装置２８によって現像され、感光ドラム２２の表面にトナー像が形成される。
【００２３】
一方、転写装置３０に送られた連続紙Ｐには、感光ドラム２２の表面に形成されたトナー像が転写される。トナー像が転写された連続紙Ｐは定着装置３６へ搬送され、そのトナー像が定着装置３６によって定着される。
【００２４】
転写装置３０によって連続紙Ｐに転写されずに感光ドラム２２の表面に残存したトナーは、クリーニング装置３２によって除去される。そして、その感光ドラム２２の表面は、除電装置３４によって除電され、再び帯電装置２６によって略均一に帯電される。こうして、画像形成部２０は、このような工程を繰り返し行うことにより、連続紙Ｐに順次画像を形成する。
【００２５】
なお、連続紙Ｐ１から連続紙Ｐ２へ切り替えるときには、画像形成装置１０を停止させ、連続紙Ｐ１をカッター５２で切断する。切断されて画像形成装置１０内に残っている連続紙Ｐ１を画像形成装置１０外部へ完全に送り出した後、用紙収容箱４２に収容されている連続紙Ｐ２を取り出して、連続紙Ｐ２の先端をトラクタ３１にセットし、オートロード（連続紙を印刷可能な位置に自動的に搬送する）を実行する。
【００２６】
以上のような構成の画像形成装置１０において、次に、折畳み用紙収納部４０の構成について詳細に説明する。
【００２７】
図３に示すように、折畳み用紙収納部４０は、底面６０Ａと底面６０Ａの一端から垂直に立設する側壁６０Ｂとで構成され、断面形状が略Ｌ字状とされた筐体６０を有している。
【００２８】
側壁６０Ｂの長手方向の両側には、薄板状の取付板６２、６４がネジ留めされている。取付板６２、６４には、それぞれ長孔６３、６５が形成されており、長孔６３、６５に挿通されたネジ（図示省略）を、画像形成装置１０本体（図２参照）に形成されたネジ孔に螺合させることで、筐体６０は画像形成装置１０本体に固定される。
【００２９】
画像形成装置１０には、用紙収容箱４２を装填する開口部１１（図１参照）が設けられており、開口部１１側には側壁６０Ｂに対して直交するようにして、長尺平板状の板部６６が設けられている。
【００３０】
板部６６の開口部１１側には傾斜部６６Ａが設けられている。また、板部６６には、長手方向に沿って長尺状の孔部６８が形成されており、孔部６８からはローラ７０の周面が突出している。
【００３１】
これにより、用紙収容箱４２を開口部１１から折畳み用紙収納部４０に装填する際、用紙収容箱４２を傾斜部６６Ａに沿って板部６６上に載置して、ローラ７０によって折畳み用紙収納部４０の奥側へ押し入れる。
【００３２】
また、板部６６の、ローラ７０よりも用紙収容箱４２の奥側には、マイクロスイッチ７２が設けられている。このマイクロスイッチ７２は、用紙収容箱４２を、板部６６上をスライドさせながら折畳み用紙収納部４０に装填するとき、用紙収容箱４２の底面によって押されてオンされ、用紙収容箱４２が折畳み用紙収納部４０に装填されると、マイクロスイッチ７２はオフされるようになっている。これにより、マイクロスイッチ７２に接続された制御装置５８（図２参照）によって、折畳み用紙収納部４０に用紙収容箱４２が補充されたと判断されるようになっている。
【００３３】
なお、折畳み用紙収納部４０に収納された用紙収容箱４２は、筐体６０の側壁６０Ｂと、板部６６の壁部６６Ａとによって、用紙収容箱４２の幅方向の一方と、幅方向と直交する方向（奥行き方向）の一方の位置決めがされるようになっている。
【００３４】
一方、筐体６０の底面６０Ａの奥側には、板部６６と平行にスライドレール６７が設けられている。スライドレール６７上には、断面形状が略コ字状のスライド部材６９が設けられており、スライド部材６９はスライドレール６７に沿って用紙収容箱４２の幅方向に沿って移動する構成となっている。
【００３５】
このスライド部材６９の上には、板部６６とに跨るようにして幅ガイド７４が設けられている。幅ガイド７４はスライド部材６９に固定されており、スライド部材６９の移動に伴って、スライドレール６７と板部６６に沿って移動する構成となっている。これにより、折畳み用紙収納部４０に収納された用紙収容箱４２を、幅ガイド７４によって筐体６０の側壁６０Ｂへ押し付けることで、用紙収容箱４２の幅方向の位置決めがされる。
【００３６】
幅ガイド７４は、図４に示すように、図中手前側が開口された箱状の収容体７６と、収容体７６の開口部を塞ぐ蓋体７８とで構成されている。収容体７６の上壁７６Ａの開口部１１側（図１参照）には、長溝７３が形成されており、この長溝７３には、後述するレバー１５８のリンク１８２が挿通されている。なお、このレバー１５８は、溝部７３に沿って移動可能とされている。
【００３７】
また、収容体７６の平板部７６Ｄには、長手方向に沿って２本のレール部材８０、８２が上下方向に平行に設けられている。レール部材８０、８２はチャンネル状とされ、それぞれ平板部８０Ａ、８２Ａと、平板部８０Ａ、８２Ａから立設する壁部８０Ｂ、８２Ｂを備えている。また、平板部８０Ａ、８２Ａが、収容体７６の平板部７６Ｄにネジ止めされている。
【００３８】
図５に示すように、上側に配置されたレール部材８０の平板部８０Ａの両側には、略矩形状の板材８４、８５が設けられている。板材８４、８５は、収容体７６の平板部７６Ｄ（図４参照）にネジ止めされている。また、板材８４にはプーリー８８が回転可能に設けられており、板材８５にはプーリー８８よりも径の大きいプーリー９２が回転可能に設けられている。
【００３９】
一方、平板部８０Ａの略中央部分には、図６に示すように、プーリー９２と同径の大径部８６Ａと、プーリー８８と同径の小径部８６Ｂからなるプーリー８６が設けられている。そして、プーリー８８と小径部８６Ｂには無端状のベルト９０が巻き掛けられており、プーリー９２と大径部８６Ａには無端状のベルト９４が巻き掛けられている。これにより、ベルト９０を回転移動させるとベルト９０が巻き掛けられた小径部８６Ｂが回転することによってプーリー８６が回転して、大径部８６Ａに巻き掛けられたベルト９４が回転移動する構成となっている。
【００４０】
ここでは、プーリー８６は、大径部８６Ａの径が小径部８６Ｂの径の略２倍とされており、ベルト９０を移動させると、ベルト９４はベルト９０の移動量の２倍の距離移動する構成となっている。
【００４１】
なお、本実施形態では、プーリー８６の大径部８６Ａの周長を、小径部８６Ｂの周長の２倍となるように設定したが、大径部８６Ａの周長と小径部８６Ｂの周長の比率は、上記形態に限定されるものではない。
【００４２】
一方、ベルト９０には留め具９６が設けられている。留め具９６は、略Ｔ字状に形成されたＴ字片９６Ａと、このＴ字片９６Ａに対して直角に設けられた脚片９６Ｂとで構成されている。Ｔ字片９６Ａ上にはベルト９０の一部が載置され、Ｔ字片９６Ａに載置されたベルト９０の上には複数の窓部９７が形成された板材９５で挟持されている。このとき、窓部９７には、ベルト９０の凸部が係止するようになっている。これにより、留め具９６を移動させると、ベルト９０も移動する構成となっている。
【００４３】
また、留め具９６の脚片９６Ｂは、図４及び図５に示すように、スライドベース１５０に取り付けられている。スライドベース１５０は、平板部１５０Ａと、平板部１５０Ａの上端から張り出す上壁１５０Ｂで構成されており、一方向から見て略Ｌ字状とされている。平板部１５０Ａには略矩形状の孔部１５２が形成されており、この孔部１５２に留め具９６の脚片９６Ｂを挿通して平板部１５０Ａの表側へ留め具９６を引っ掛けるようになっている。
【００４４】
また、平板部１５０Ａの孔部１５２の下方には、上下方向に並んだ状態で２つのネジ孔１５４が形成されている。このネジ孔１５４に、留め具９６の脚片９６Ｂに形成されたネジ孔９８（図６参照）に挿通されたネジ９９を螺合させることで、留め具９６にスライドベース１５０が固定されている。
【００４５】
図７及び図８に示すように、スライドベース１５０にはレバー１５８が取り付けられている。レバー１５８は箱状の把持部１６０を有しており、把持部１６０の側壁１６０Ａの下方には、ネジ孔１６２が形成されている。このネジ孔１６２には、一方向から見てＬ字状の取付板１６４の一片１６４Ａに形成されたネジ孔１６６に挿通されたネジ１６８が螺合される。また、取付板１６４の他片１６４Ｂにはネジ孔１７０が形成されており、このネジ孔１７０に挿通されたネジ１７２は、スライドベース１５０の上壁１５０Ｂに形成されたネジ孔１７４に螺合される。これにより、把持部１６０は取付板１６４によってスライドベース１５０に固定されている。
【００４６】
把持部１６０の側壁１６０Ａと直交する側壁１６０Ｂ及び底面１６０Ｃには開口部１７６が形成されており、把持部１６０の内部に、所定の厚みを有する略矩形状の傾動部材１７８が挿入され、この傾動部材１７８の一部が開口部１７６から露出している。
【００４７】
把持部１６０の側壁１６０Ａと対向している側壁１６０Ｄの下方には、円弧状の切欠１７７が形成されており、傾動部材１７８を把持部１６０に挿通させたとき、傾動部材１７８の切欠１７７から露出する位置には、ネジ孔１８０が形成されている。このネジ孔１８０には、傾動部材１７８の下端部に取り付けられる略矩形状のリンク１８２の上端に形成された孔１８４に挿通されたピン１８６が螺合される。
【００４８】
また、把持部１６０に傾動部材１７８を挿通させた状態で、側壁１６０Ａのネジ孔１８０と同軸となる位置には、孔１８７が形成されている。この孔１８７には、傾動部材１７８とリンク１８２を固定するピン１８６の先端部分が軸支される。これにより、傾動部材１７８はリンク１８２が取り付けられた状態で、把持部１６０に対して回動可能に支持されている。なお、スライドベース１５０の天板１５０Ｂには、矩形状の孔１５６が形成されており、この孔１５６にリンク１８２が挿通されるようになっている。また、把持部１６０の側壁１６０Ｂと対向する側壁１６０Ｅと傾動部材１７８の間にはコイルスプリング１８１が設けられており、傾動部材１７８は矢印Ｋ方向に付勢されている。
【００４９】
リンク１８２の下端には、略く字状とされたフック１９２が設けられている。フック１９２の上端には孔１９４が形成されており、この孔１９４には、リンク１８２の下端に形成された孔１８８に挿通させたシャフト１９０が挿通される。孔１９４及び孔１８８に挿通させたシャフト１９０の先端には、ワッシャ１９１が係合されており、孔１９４及び孔１８８からシャフト１９０が抜け落ちないようにされている。これにより、フック１９２はリンク１８２に対して回動可能に取り付けられている。
【００５０】
また、フック１９２の屈曲部にはスペーサー１９６が設けられている。スペーサー１９６には孔１９８が形成されており、屈曲部に形成された孔２００に挿通させたシャフト２０２が孔１９８に挿通されて、スライドベース１５０にワッシャ１９９を介して取り付けられる。これにより、フック１９２は、スライドベース１５０にスペーサー１９６によって所定の距離離間した状態で、屈曲部を中心として回動可能に支持されている。
【００５１】
また、フック１９２の他端の、スライドベース１５０と対向する側と反対側には、ローラ２０６が設けられている。ローラ２０６には孔２０８が形成されており、この孔２０８に挿通させたピン２１２を、フック１９２の他端に形成されたネジ孔２１０に固定させることで、ローラ２０６はフック１９２の他端に固定された状態で取り付けられている。
【００５２】
さらに、図７に示すように、フック１９２の上端近傍には円柱状のストッパ２１４が設けられている。ストッパ２１４はスライドベース１５０に固定されており、フック１９２の上端が図の時計周りに移動するのを阻止している。
【００５３】
また、図８に示すように、フック１９２の下端近傍に形成された先端部１９２Ａには、孔２１６が形成されている。この孔２１６にはコイルスプリング２１８の一端が係止されている。コイルスプリング２１８の他端は、スライドベース１５０の天板１５０Ｂに係止されている。これにより、フック１９２の先端部１９２Ａは図７の矢印Ｂ方向に付勢されている。
【００５４】
さらに、図７に示すように、ローラ２０６の下方には、略長尺矩形状のロックレバー２２０が設けられており、ローラ２０６はロックレバー２２０の一端に形成された傾斜部２２０Ａに当接している。ロックレバー２２０の略中央部には、スペーサー２２２が設けられており、ロックレバー２２０の略中央部とスペーサー２２２は、シャフト２２４によってスライドベース１５０に回動可能に取り付けられている。これにより、ロックレバー２２０は、スライドベース１５０に対してスペーサー２２２で所定の距離離間した状態で、シャフト２２４を中心として回動可能に取り付けられている。
【００５５】
ロックレバー２２０の略中央部には、凸部２２１が形成されており、凸部２２１に形成された孔２２６には、コイルスプリング２２８の一端が係止されている。このコイルスプリング２２８の他端は、ネジ２３０によってスライドベース１５０に固定されている。これにより、ロックレバー２２０は、矢印Ｃ方向に付勢されている。
【００５６】
また、ロックレバー２２０の他端の角部２２０Ｂは、収容体７６（図４参照）の底部７６Ｂに設けられたロックプレート２３２の上面に形成されたラチェット歯２３２Ａに係合されるようになっている。図９（Ａ）に示すように、ロックレバー２２０の他端の角部２２０Ｂがロックプレート２３２のラチェット歯２３２Ａに係合されているときは、ロックレバー２２０が矢印Ｄ方向に移動するのを阻止されており、図９（Ｂ）に示すように、ロックレバー２２０の他端の角部２２０Ｂがロックプレート２３２のラチェット歯２３２Ａから離れているときは、ロックレバー２２０は矢印Ｄ方向に移動可能となっている。
【００５７】
また、図７に示すように、スライドベース１５０には、留め具９６とレバー１５８を挟むようにして、２つのコロ２３４がスペーサー２３３を介してシャフト２３５によって回動可能に取り付けられている。コロ２３４はレール部材８２の上壁８２Ａに当接しており、スライドベース１５０はレール部材８２に沿ってスライドする構成となっている。
【００５８】
また、スライドベース１５０の上壁１５０Ａの裏面（下方を向いている面）には、コロ２３６がスペーサー２３１を介してシャフト２３７によって回動可能に取り付けられている。コロ２３６はレール部材８０の上壁８０Ｂから立設された壁面８０Ｃに当接しており、スライドベース１５０は図中手前側に傾動するのを阻止する構成とされている。
【００５９】
一方、図５に示すように、ベルト９４の一部にも留め具９６が取り付けられており、留め具９６はスライドベース２４０に形成された略矩形状の孔部２４２に挿通されて、スライドベース２４０の平板部２４０Ａにネジ止めされている。
【００６０】
スライドベース２４０は、矩形状の平板部２４０Ａと、平板部２４０Ａの両端部から立設する側壁２４０Ｂとで構成されており、略コ字状とされている。また、スライドベース２４０には、切欠２４１が形成されており、この切欠２４１には、後述するロックレバー２８６（図１３参照）が入り込むようになっている。
【００６１】
また、図１３に示すように、スライドベース２４０の両側には、コロ２４３がシャフト２５３を介してネジ２４７によって回動可能に取り付けられている。コロ２４３はレール部材８２の上壁８２Ａに当接しており、スライドベース２４０はレール部材８２に沿ってスライドする構成となっている。
【００６２】
また、スライドベース２４０の上壁２４０Ａの裏面（下方を向いている面）には、コロ２４５がシャフト２５１を介してネジ２４９によって回動可能に取り付けられている。コロ２４５はレール部材８０の上壁８０Ｂから立設された壁面８０Ｃに当接しており、スライドベース２４０は図中手前側に傾動するのを阻止する構成とされている。
【００６３】
図５に示すように、スライドベース２４０の平板部２４０Ａには、２つのガイド支持部材２５０がネジ留めされている。ガイド支持部材２５０は、矩形状の板部２５０Ａと、板部２５０Ａに対して垂直方向に立設する支持部２５０Ｂとで構成されている。板部２５０Ａにはネジ孔２５２が形成されており、このネジ孔２５２に挿通されたネジ２５４を、スライドベース２４０に形成されたネジ孔２５６に螺合させることで、ガイド支持部材２５０がスライドベース２４０に固定されている。このような構成のガイド支持部材２５０が、スライドベース２４０に上下方向に２つ並設するようにして固定されている。
【００６４】
また、図１０に示すように、ガイド支持部材２５０の支持部２５０Ｂは、蓋体７８の奥側に長手方向に沿って形成された溝２５８から突出するようにして設けられている。
【００６５】
ガイド支持部材２５０の支持部２５０Ｂには、奥行ガイド２６２が設けられている。奥行ガイド２６２は略矩形状とされており、奥行ガイド２６２に形成されたネジ孔２６４に挿通されたネジ２６６を支持部２５０Ｂに形成されたネジ孔２６０に螺合させることで、奥行ガイド２６２はガイド支持部材２５０に固定される。
【００６６】
以上のような構成によって、レバー１５８を収容体７６の溝部７３に沿って奥行き方向の手前側（作業者が操作する側）に向かって移動させると、レバー１５８に固定されたスライドベース１５０がレバー１５８の移動に伴って奥行き方向の手前側に移動して、スライドベース１５０に固定された留め具９６を介してベルト９０が回転移動する。ベルト９０の回転移動によって、ベルト９０が巻き掛けられたプーリー８６が回転すると、プーリー８６に巻き掛けられたベルト９４が回転移動する。ベルト９４が回転移動すると、ベルト９４に固定された留め具９６が移動すると共に、留め具９６が取り付けられたスライドベース２４０が移動する。そして、スライドベース２４０に固定されたガイド支持部材２５０が移動することによって、奥行ガイド２６２もベルト９４の移動方向、つまり、溝２５８に沿って用紙収容箱４２の奥行き方向の手前側に移動する構成となっている。
【００６７】
これにより、図１１に示すように、レバー１５８を奥行き方向に移動させることによって、奥行ガイド２６２を奥行き方向に移動させ、折畳み用紙収納部４０に収納された用紙収容箱４２を板部６６の壁部６６Ａへ押し付けることで、用紙収容箱４２の奥行き方向の位置決めがされるようになっている。
【００６８】
また、ベルト９０を移動させると、ベルト９４がベルト９０の移動量の２倍の距離移動する構成となっていることから、図１２に示すように、レバー１５８を矢印Ｅ方向に移動すると、奥行ガイド２６２はレバー１５８の移動量Ｍの２倍の距離移動するようになっている。
【００６９】
なお、ロックプレート２３２のラチェット歯２３２Ａに対するロックレバー２２０の他端の角部２２０Ｂの係合を解除しなくても、レバー１５８は矢印Ｅ方向に移動可能となっている。つまり、レバー１５８は、矢印Ｅ方向へは常時移動可能とされ、矢印Ｅ方向と反対方向へは、傾動部材１７８を傾動させて、ロックプレート２３２のラチェット歯２３２Ａに対するロックレバー２２０の他端の角部２２０Ｂの係合を解除する必要がある。
【００７０】
一方、図５及び図７に示すように、収容体７６の下側に配置されたレール部材８２には、長尺状のリンク２６８が設けられている。リンク２６８の一方の端部には、リンクレバー２７０の一端がシャフト２６９とＥリング２７１とによって回動可能に取り付けられている。リンクレバー２７０は、リンク２６８が取り付けられた長片２７０Ａと、長片２７０Ａに対して略直角に設けられた短片２７０Ｂとで略Ｌ字状に構成されており、長片２７０Ａと短片２７０Ｂの連結部、つまり屈曲部が、レール部材８２に回動可能に取り付けられている。
【００７１】
リンクレバー２７０の短片２７０Ｂの端部には、長片２７０Ａ及び短片２７０Ｂで形成された面に対して垂直となるようにして、薄板状の突出部２７０Ｃが設けられている。この突出部２７０Ｃがリンク２６８に当接するようになっており、ローラ２０６でリンク２６８を下方に移動させたとき、所定の位置よりも下方に移動しないようになっている。つまり、突出部２７０Ｃがストッパーとなり、リンク２６８の下方への移動が規制されている。このような構成のリンクレバー２７０が、リンク２６８の略中央部分にも設けられている。
【００７２】
リンク２６８の他方の端部には、リンク２７２の一端がシャフト２６９とＥリング２７１とによって取り付けられている。リンク２７２の他端には、図１３に示すように、コイルスプリング２７４の一端が取り付けられている。コイルスプリング２７４の他端は、幅ガイド７４（図４参照）の収容体７６の側壁７６Ｃに取り付けられており、リンク２７２は矢印Ｆ方向に付勢されている。
【００７３】
また、リンク２７２の他端近傍には、略矩形状のリンクレバー２７６の一端がシャフト２６９とＥリング２７１とによって取り付けられている。このリンクレバー２７６の他端は、レール部材８２に回動可能に取り付けられている。リンク２６８と連動してリンク２７２が下方に移動すると、リンクレバー２７６は他端を中心に回動して、リンク２７２が下方に移動する構成となっている。
【００７４】
また、リンクレバー２７６には略長尺状の小レバー２７８の一端がシャフト２６９とＥリング２７１とによって取り付けられており、小レバー２７８はリンクレバー２７６の移動に伴って移動する構成となっている。また、この小レバー２７８の他端は、後述するロックレバー２８６の凸片２８６Ｅの下面に当接するようにして設けられている。
【００７５】
一方、図１４（Ａ）に示すように、リンク２６８には、ローラ２０６が当接しており、ローラ２０６によってリンク２６８が下方に向かって押圧されるようになっている。ローラ２０６がリンク２６８を下方に向かって押圧すると、図１４（Ｂ）に示すように、リンク２６８に接続されたリンク２７２も下方に移動して、リンクレバー２７０及び、リンクレバー２７６が他端を中心に時計周りに回動する。また、ローラ２０６によってリンク２６８の押圧が解除されると、コイルスプリング２７４の付勢力によってリンク２７２が矢印Ｆ方向に引っ張られて、リンクレバー２７０、２７６が他端を中心に反時計周りに回動するようになっている。
【００７６】
一方、図３に示すように、スライド部材６９の上には、断面形状がＬ字状の支持台２８４が載置されており、支持台２８４内には、図１３に示す略Ｌ字状のロックレバー２８６の屈曲部が、シャフト２６９とＥリング２７１によって支持台２８４に対して回動可能となるように固定されている。なお、図４に示すように、幅ガイド７４の蓋体７８には切欠７９が形成されており、支持台２８４が切欠７９に入り込むようになっている。
【００７７】
ロックレバー２８６の短片２８６Ａの先端部は、スライドレール６７に設けられたロックプレート２９０のラチェット歯２９０Ａが噛合している。また、ロックレバー２８６の長片２８６Ｂから、上方に延出された凸片２８６Ｃには、凸片２８６Ｃに対して直角となるように、板片２８６Ｄが設けられている。板片２８６Ｄには、コイルスプリング２９２の一端が係止されており、また、他端は支持台２８４（図３参照）に連結されている。これにより、ロックレバー２８６は、矢印Ｇ方向に付勢されている。
【００７８】
また、長片２８６Ｂの他端には、幅ガイド７４（図３参照）側に向かって凸片２８６Ｅが突出している。凸片２８６Ｅの下面には、小レバー２７８の上面が当接しており、小レバー２７８の移動によって、ロックレバー２８６の凸片２８６Ｅが上方に移動すると、屈曲部を中心にロックレバー２８６が反時計周りに回動して、短片２８６Ａの先端部がロックプレート２９０のラチェット歯２９０Ａから噛合が解除される。これにより、ロックプレート２９０に対してロックレバー２８６が移動可能となる。
【００７９】
なお、ロックプレート２９０のラチェット歯２９０Ａに対するロックレバー２８６の短片２８６Ａの先端部の係合を解除しなくても、レバー１５８は矢印Ｈ方向に移動可能となっている。つまり、幅ガイド７４は、矢印Ｈ方向へは常時移動可能とされ、矢印Ｈ方向と反対方向へは、レバー１５８の傾動部材１７８を傾動させて、ロックプレート２９０のラチェット歯２９０Ａに対するロックレバー２８６の短片２８６Ａの先端部の係合を解除する必要がある。
【００８０】
つまり、折畳み用紙収納部４０に用紙収容箱４２を装填させ、幅ガイド７４と奥行ガイド２６２とで、用紙収容箱４２を、折畳み用紙収納部４０に対して位置決めすると、幅ガイド７４と奥行ガイド２６２はロックされた状態となり、用紙収容箱４２を押さえる方向と反対方向に移動しないようになっている。そこで、用紙収容箱４２を折畳み用紙収納部４０から取り外す際には、幅ガイド７４及び奥行ガイド２６２のロックを解除する必要がある。
【００８１】
ここで、幅ガイド７４及び奥行ガイド２６２のロックを解除する手順について説明する。
【００８２】
レバー１５８の把持部１６０を把持して、傾動部材１７８を把持部１６０側（図７の矢印Ｊ方向、時計周りの方向）へ傾動させる。傾動部材１７８を矢印Ｊ方向に傾動させると、傾動部材１７８とリンク１８２の接続部を中心として、リンク１８２が時計周りに回動する。これに伴って、リンク１８２の下端に接続されたフック１９２が反時計周りに回動する。フック１９２が反時計周りに回動すると、フック１９２の下端に設けられたローラ２０６が下方に向かって移動して、ロックレバー２２０の傾斜部２２０Ａを押圧する。これにより、ロックレバー２２０は略中央部を中心として時計周りに回動して、他端がロックプレート２３２から離れる。つまり、ロックプレート２３２に対するロックレバー２２０の係合が解除され、奥行ガイド２６２は用紙収容箱４２の奥行き方向の奥側（用紙収容箱４２が装填される側と反対側）に移動可能となる。
【００８３】
また、このとき、フック１９２の下端に設けられたローラ２０６は、リンク２６８を下方に向かって押圧する。これに伴って、リンク２７２が下方に移動して、リンクレバー２７０、２７６が時計周りに回動する。これにより、小レバー２７８が上方に移動して、ロックレバー２８６を、屈曲部を中心として反時計周りに回動すると、短片２８６Ａの先端部がロックプレート２９０から離れる。つまり、ロックプレート２９０に対するロックレバー２８６の係合が解除され、幅ガイド７４は用紙収容箱４２の幅方向の用紙収容箱４２を押さえる方向と反対方向に移動可能となる。
【００８４】
次に、本発明の実施形態の作用について説明する。
【００８５】
画像形成装置１０内には、画像形成装置１０の外部に設けられたホルダー１２に収納されたロール状の連続紙Ｐ１を画像形成部２０に向けて供給するロール給紙部１４と、折り畳まれた連続紙Ｐ２が収容された用紙収容箱４２が収納される折畳み用紙収納部４０に収納された折り畳まれた連続紙Ｐ２を画像形成部２０に向けて供給する折畳み給紙部５０が設けられている。
【００８６】
これにより、連続紙Ｐ１に画像を記録する場合と、連続紙Ｐ２に画像を記録する場合とで、ロール給紙部１４と折畳み給紙部５０をその度に画像形成装置１０本体から取り外したり取り付けたりする必要がない。したがって、使用する連続紙の種類による取替え作業の負担が少ない。また、連続紙Ｐ２を使用しない場合、折畳み用紙収納部４０を収容する場所を画像形成装置１０の外部に確保する必要がない。
【００８７】
さらに、画像形成装置１０に設置された折畳み用紙収納部４０には、用紙収容箱４２の幅方向の位置決めをする幅ガイド７４及び奥行き方向の位置決めをする奥行ガイド２６２が設けられており、幅ガイド７４に取り付けられたレバー１５８を奥行き方向にスライドさせると、径の異なる大径部８６Ａと小径部８６Ｂを有するプーリー８６と、大径部８６Ａと小径部８６Ｂとにそれぞれ巻き掛けられるベルト９４、９０によって構成された増幅手段によってレバー１５８のスライド量が増幅されて、奥行ガイド２６２が移動する。
【００８８】
これにより、奥行ガイド２６２を移動させるのに必要な移動量よりも少ない量でレバー１５８をスライドさせることができるので、レバー１５８を開口部１１側（奥行き方向に対して手前側）に設置することが可能となる。つまり、用紙収容箱４２を折畳み用紙収納部４０に収納する際に、開口部１１側（作業方向の手前側）で作業が行えるため、操作性が向上すると共に、画像形成装置装置１０の奥行き方向へ作業者が手を挿入する必要がないため、安全性の向上もはかれる。
【００８９】
また、レバー１５８に設けられた傾動部材１７８の動きに連動して、奥行ガイド２６２に連結されたロックレバー２２０とロックプレート２３２及び、幅ガイド７４に連結されたロックレバー２８６とロックプレート２９０がロックされたり、ロックが解除されたりする。つまり、ロックレバー２２０がロックプレート２３２に係合すると、奥行ガイド２６２の用紙収容箱４２を押さえる方向と反対方向への移動が阻止され、また、ロックレバー２８６がロックプレート２９０に係合すると、幅ガイド７４の用紙収容箱４２を押さえる方向と反対方向への移動が阻止される。つまり、幅ガイド７４及び奥行ガイド２６２は一方向にのみ移動可能とされるので、折畳み用紙収納部４０に装填された用紙収容箱４２の位置決めが行われた後で、幅ガイド７４及び奥行ガイド２６２が移動してしまうことがない。
【００９０】
なお、本実施形態では、図６に示すように、径の異なる大径部８６Ａと小径部８６Ｂを有するプーリー８６と、大径部８６Ａと小径部８６Ｂとにそれぞれ巻き掛けられるベルト９４、９０によって構成された増幅手段によってレバー１５８のスライド量を増幅させて、奥行ガイド２６２の移動量とする構成としたが、図１５に示すように、径の異なる大径部２９４Ａと小径部２９４Ｂを有する滑車２９４と、大径部２９４Ａと小径部２９４Ｂとにそれぞれ巻き掛けられるベルト２９６、２９８によって構成された増幅手段を用いることで、レバー１５８のスライド量を増幅させて奥行ガイド２６２の移動量としてもよい。
【図面の簡単な説明】
【００９１】
【図１】本発明の実施形態に係る画像形成装置の全体を示す概略斜視図である。
【図２】本発明の実施形態に係る画像形成装置の概略構成図である。
【図３】本発明の実施形態に係る画像形成装置に搭載された折畳み用紙収納部を示す斜視図である。
【図４】折畳み用紙収納部に搭載された幅ガイドを示す斜視図である。
【図５】折畳み用紙収納部に搭載された幅ガイドのレール部を示す斜視図である。
【図６】レール部に搭載された増幅機構の構成を示す斜視図である。
【図７】折畳み用紙収納部に搭載された幅ガイドのレール部及びレバーを示す部分斜視図である。
【図８】レバーの分解斜視図である。
【図９】レバーと奥行ガイドのロック機構を示す説明図である。
【図１０】奥行ガイドの構成を示す斜視図である。
【図１１】折畳み用紙収納部の幅ガイド及び奥行ガイドを用紙収容箱に合わせて移動させた状態を示す斜視図である。
【図１２】レバーの移動量と奥行ガイドの移動量の関係を示す説明図である。
【図１３】幅ガイドのロック機構を示す斜視図である。
【図１４】幅ガイドに搭載されたリンク機構を示す説明図である。
【図１５】レール部に搭載された増幅機構の他の構成を示す斜視図である。
【図１６】従来の画像形成装置に搭載された折畳み用紙収納部を示す斜視図である。
【符号の説明】
【００９２】
１０  画像形成装置
１２  ホルダー（ロール紙供給装置）
１４  ロール給紙部
２０  画像形成部
４０  折畳み用紙収納部
４２  用紙収容箱（収容部）
５０  折畳み給紙部
５２  カッター（切断手段材）
７４  幅ガイド
８６  プーリー（増幅手段）
８６Ａ  大径部（第２プーリー、増幅手段）
８６Ｂ  小径部（第１プーリー、増幅手段）
９０  ベルト（第１ベルト、増幅手段）
９４  ベルト（第２ベルト、増幅手段）
１５８  レバー（把手）
１７８  傾動部材（レバー）
２６２  奥行ガイド
２２０  ロックレバー（第１ロック機構）
２３２  ロックプレート（第１ロック機構）
２８６  ロックレバー（第２ロック機構）
２９０  ロックプレート（第２ロック機構）
Ｐ１  ロール連続紙
Ｐ２  折畳み連続紙
【図１】
2006298520.tif 000003
【図２】
2006298520.tif 000004
【図３】
2006298520.tif 000005
【図４】
2006298520.tif 000006
【図５】
2006298520.tif 000007
【図６】
2006298520.tif 000008
【図７】
2006298520.tif 000009
【図８】
2006298520.tif 000010
【図９】
2006298520.tif 000011
【図１０】
2006298520.tif 000012
【図１１】
2006298520.tif 000013
【図１２】
2006298520.tif 000014
【図１３】
2006298520.tif 000015
【図１４】
2006298520.tif 000016
【図１５】
2006298520.tif 000017
【図１６】
2006298520.tif 000018